(57)【要約】【課題】待機モード時に消費電力を低減してバッテリーの使用時間を延ばすことができるようにする有機電界発光表示装置及びその駆動方法を提供する。【解決手段】データ信号、走査信号に対応して複数のフレームで構成される画像を表示する画素部と、前記データ信号を出力するデータ駆動部と、前記走査信号を出力する走査駆動部と、前記データ駆動部と前記走査駆動部を制御し、前記複数のフレームのうちの少なくとも１つのフレームは前記走査信号が前記画素部に伝達されないようにする制御部と、を含む。【選択図】図２
2011034049.tif 000002
【特許請求の範囲】
【請求項１】
データ信号、走査信号に対応して複数のフレームで構成される画像を表示する画素部と、
前記データ信号を出力するデータ駆動部と、
前記走査信号を出力する走査駆動部と、
前記データ駆動部と前記走査駆動部を制御し、前記複数のフレームのうちの少なくとも１つのフレームは前記走査信号が前記画素部に伝達されないようにする制御部と
を含む有機電界発光表示装置。
【請求項２】
前記制御部は前記走査信号が出力されないフレーム区間で前記走査駆動部の駆動が停止されるようにすることを特徴とする請求項１に記載の有機電界発光表示装置。
【請求項３】
前記データ駆動部と前記画素部との間に形成されて１フレームの区間で前記データ駆動部の１つの出力端から出力された複数のデータ信号を分配するようにするＤＥＭＵＸ部を更に含むことを特徴とする請求項１に記載の有機電界発光表示装置。
【請求項４】
前記ＤＥＭＵＸ部は、前記走査信号が前記画素部に伝達されないフレームでは動作が停止されることを特徴とする請求項３に記載の有機電界発光表示装置。
【請求項５】
前記画素部の一部領域でのみ画像が表現されることを特徴とする請求項１に記載の有機電界発光表示装置。
【請求項６】
データ信号、走査信号に対応して複数のフレームで構成される画像を表現する有機電界発光表示装置の駆動方法において、
前記走査信号により前記データ信号が画素に伝達されて前記複数のフレームのうち第１フレームの画像を表現する段階と、
前記第１フレームに伝達された前記データ信号が前記画素に維持されて前記複数のフレームのうち第２フレームの画像を表現する段階と
を含む有機電界発光表示装置の駆動方法。
【請求項７】
前記第２フレームでは前記走査信号が伝達されないことを特徴とする請求項６に記載の有機電界発光表示装置の駆動方法。
【請求項８】
前記画像は画素部の一部にのみ表示されることを特徴とする請求項６に記載の有機電界発光表示装置の駆動方法。
【発明の詳細な説明】
【技術分野】
【０００１】
本発明は有機電界発光表示装置及びその駆動方法に関し、更に詳細には、消費電力の少ない有機電界発光表示装置及びその駆動方法に関する。
【背景技術】
【０００２】
近年、陰極線管の短所である重さと体積を減らすことができる各種平板表示装置が開発されている。平板表示装置としては、液晶表示装置、電界放出表示装置、プラズマ表示パネル及び有機電界発光表示装置などが挙げられる。
【０００３】
平板表示装置のうち、有機電界発光表示装置は電流の流れに対応して発生する電子と正孔の再結合によって光を発生する有機発光ダイオードを用いて画像を表示する。
このような有機電界発光表示装置は色再現性に優れていることや薄い厚さなどの様々な利点により応用分野は携帯電話用以外にもＰＤＡ、ＭＰ３プレーヤなどに市場が大きく拡大している。
【０００４】
図１は、一般の有機電界発光表示装置の構造を示す構造図である。図１を参照して説明すれば、有機電界発光表示装置は、画素部１０、データ駆動部２０、走査駆動部３０及び制御部４０を含む。
画素部１０には複数の画素１１が配列され、各画素１１は電流の流れに対応して光を発光する有機発光ダイオード（図示せず）を含む。そして、画素部１０は行方向に走査信号を伝達するｎ個の走査線Ｓ１、Ｓ２、．．．Ｓｎ-１、Ｓｎと列方向にデータ信号を伝達するｍ個のデータ線Ｄ１、Ｄ２、．．．Ｄｍ-１、Ｄｍが配列される。
【０００５】
また、画素部１０は、第１電源（図示せず）と第１電源より低い電圧レベルを有する第２電源（図示せず）の伝達を受けて駆動する。従って、画素部１０は、走査信号、データ信号、第１電源及び第２電源により有機発光ダイオードに電流が流れるようになることで、発光して映像を表示する。
データ駆動部２０は、制御部４０からデータ駆動部制御信号ＤＣＳと映像信号Ｒ、Ｇ、Ｂ ｄａｔａの伝達を受けてデータ信号を生成する。そして、データ駆動部２０は、画素部１００のデータ線Ｄ１、Ｄ２、．．．Ｄｍ-１、Ｄｍと連結されて生成されたデータ信号を画素部１０に印加する。
【０００６】
走査駆動部３０は、制御部４０から走査駆動部制御信号ＳＣＳの伝達を受けて走査信号を生成する。前記走査駆動部３０は、走査線Ｓ１、Ｓ２、．．．Ｓｎ-１、Ｓｎに連結されて走査信号を画素部１０の特定の行に伝達する。走査信号が伝達された画素１１にはデータ駆動部２０から出力されたデータ信号が伝達されてデータ信号に対応する電圧が画素に伝達される。
【０００７】
制御部４０は、前記データ駆動部２０と前記走査駆動部３０を制御して画素部１０で画像を表現できるようにする。
前記の通りに構成された有機電界発光表示装置を用いて携帯電話などに用いる場合、待機モード時に画素部の一部領域にのみ日付、時刻などを表現する画像が現れ、残りの領域は画像を表現しない状態で駆動される。
このように画面の一部にのみ画像が表現されるようにするのは、消費電力を低減してバッテリーの使用時間が増えるようにするためである。
【０００８】
しかしながら、このような待機モード時にもデータ駆動部２０と走査駆動部３０は同一の駆動をする。即ち、データ駆動部２０と走査駆動部３０の消費電力は待機モード時にも変わりがない。従って、消費電力を低減するためにはデータ駆動部２０と走査駆動部３０で待機モード時に消費電力を低減できる方案を導き出すことが考慮されなければならない。
【先行技術文献】
【特許文献】
【０００９】
【特許文献１】大韓民国特許公開第２００３−００６５５３５号
【特許文献２】大韓民国特許公開第２００２−００４５４４２号
【特許文献３】大韓民国特許公開第２００７−００２６４４１号
【発明の概要】
【発明が解決しようとする課題】
【００１０】
本発明は上記事情に鑑みてなされたものであって、その目的は、待機モード時に消費電力を低減してバッテリーの使用時間を延ばすことができるようにする有機電界発光表示装置及びその駆動方法を提供することにある。
【課題を解決するための手段】
【００１１】
前記目的を達成するために本発明の第１の側面は、データ信号、走査信号に対応して複数のフレームで構成される画像を表示する画素部、前記データ信号を出力するデータ駆動部、前記走査信号を出力する走査駆動部及び前記データ駆動部と前記走査駆動部を制御し、前記複数のフレームのうちの少なくとも１つのフレームは前記走査信号が前記画素部に伝達されないようにする制御部とを含む有機電界発光表示装置を提供する。
【００１２】
また、前記制御部は前記走査信号が出力されないフレーム区間で前記走査駆動部の駆動が停止されるようにする有機電界発光表示装置を提供する。
更に、前記データ駆動部と前記画素部との間に形成されて１フレームの区間で前記データ駆動部の１つの出力端から出力された複数のデータ信号を分配するようにするＤＥＭＵＸ部（逆多重部）を更に含む有機電界発光表示装置を提供する。
また、前記ＤＥＭＵＸ部は前記走査信号が前記画素部に伝達されないフレームでは動作が停止される有機電界発光表示装置を提供する。
更に、前記画素部の一部領域でのみ画像が表現される有機電界発光表示装置を提供する。
【００１３】
前記目的を達成するために本発明の第２の側面は、データ信号、走査信号に対応して複数のフレームで構成される画像を表現する有機電界発光表示装置の駆動方法において、前記走査信号により前記データ信号が画素に伝達されて前記複数のフレームのうち第１フレームの画像を表現する段階と、前記第１フレームに伝達された前記データ信号が前記画素に維持されて前記複数のフレームのうち第２フレームの画像を表現する段階とを含む有機電界発光表示装置の駆動方法を提供する。
【００１４】
また、前記第２フレームでは前記走査信号が伝達されない有機電界発光表示装置の駆動方法を提供する。
更に、前記画像は画素部の一部にのみ表示される有機電界発光表示装置の駆動方法を提供する。
【発明の効果】
【００１５】
以上のように、本発明に係る有機電界発光表示装置及びその駆動方法によれば、画像が表現される時間のうち一部の時間にのみ走査信号が駆動されて走査信号の駆動による消費電力を低減できるという効果を奏する。
【図面の簡単な説明】
【００１６】
【図１】一般の有機電界発光表示装置の構造を示す構造図である。
【図２】本発明に係る有機電界発光表示装置を示す構造図である。
【図３】図２に示す有機電界発光表示装置で待機モード状態である場合、画素部に表示される画像を表現する図である。
【図４】図２に示す有機電界発光表示装置に採用された画素を示す回路図である。
【図５】図２に示す有機電界発光表示装置に入力される走査信号とＤＥＭＵＸ制御信号を示す波形図である。
【発明を実施するための形態】
【００１７】
以下、添付する図面を参照して本発明の実施形態を更に詳細に説明する。
図２は、本発明に係る有機電界発光表示装置を示す構造図である。図２を参照して説明すれば、有機電界発光表示装置は、画素部１００、データ駆動部２００、走査駆動部３００、ＤＥＭＵＸ４００及び制御部５００を含む。
【００１８】
画素部１００には複数の画素１０１が配列され、各画素１０１は電流の流れに対応して光を発光する有機発光ダイオード（図示せず）を含む。そして、画素部１００は、行方向に走査信号を伝達するｎ個の走査線Ｓ１、Ｓ２、．．．Ｓｎ-１、Ｓｎと列方向にデータ信号を伝達するｍ個のデータ線Ｄ１、Ｄ２、．．．Ｄｍ-１、Ｄｍが配列される。
【００１９】
また、画素部１００は、第１電源ＥＬＶＤＤと第１電源ＥＬＶＤＤより低い電圧レベルを有する第２電源ＥＬＶＳＳの伝達を受けて駆動する。従って、画素部１００は、走査信号、データ信号、第１電源ＥＬＶＤＤ及び第２電源ＥＬＶＳＳにより有機発光ダイオードに電流が流れることで、発光して映像を表示する。
【００２０】
データ駆動部２００は、制御部５００からデータ駆動部制御信号ＤＣＳと映像信号Ｒ、Ｇ、Ｂ ｄａｔａの伝達を受けてデータ信号を生成する。そして、データ駆動部２００は、ＤＥＭＵＸ４００を通じて画素部１００のデータ線Ｄ１、Ｄ２、．．．Ｄｍ-１、Ｄｍと連結されて生成されたデータ信号を画素部１００に印加する。
【００２１】
走査駆動部３００は、制御部５００から走査駆動部制御信号ＳＣＳの伝達を受けて走査信号を生成する。前記走査駆動部３００は、走査線Ｓ１、Ｓ２、．．．Ｓｎ-１、Ｓｎに連結されて走査信号を画素部１００の特定の行に伝達する。走査信号が伝達された画素１０１にはデータ駆動部２００から出力されたデータ信号が伝達されてデータ信号に対応する電圧が画素に伝達されるようになる。
【００２２】
ＤＥＭＵＸ４００は、データ駆動部２００の出力端子Ｏ１、．．、Ｏｋを通じて伝達されたデータ信号をデータ線Ｄ１、Ｄ２、．．．Ｄｍ-１、Ｄｍに伝達する。特に、１つの出力端子がＤＥＭＵＸ部を通じて３つのデータ線と連結される。そして、データ駆動部２００の１つの出力端子は赤色、緑色、青色のデータ信号を順次出力するが、ＤＥＭＵＸ４００はＤＥＭＵＸ制御信号ＣＬＡ、ＣＬＢ、ＣＬＣにより赤色、緑色、青色のデータ信号が３つのデータ線にそれぞれ伝達され得るようにする。従って、ＤＥＭＵＸ４００によりデータ駆動部２００の出力端子Ｏ１、．．．、Ｏｋの数を減少させることができるようになる。
【００２３】
制御部５００は、データ駆動部２００に映像信号Ｒ、Ｇ、Ｂ ｄａｔａとデータ駆動部制御信号ＤＣＳを伝送し、走査駆動部３００に走査駆動部制御信号ＳＣＳを伝送し、ＤＥＭＵＸ４００にＤＥＭＵＸ制御信号ＣＬＡ、ＣＬＢ、ＣＬＣを伝送してデータ信号が伝達されるデータ信号を選択できるようにして画素部１００で画像を表現できるようにする。
【００２４】
図３は、図２に示す有機電界発光表示装置で待機モード状態である場合、画素部に表示される画像を表現する図である。図３を参照して説明すれば、有機電界発光表示装置は、動画、写真などの画像を表現する表示モードと画像を表現せずに単に日付、時間のみが表示される待機モード状態とに区分して動作される。
【００２５】
待機モード状態で消費電力を低減するためのものとして、消費電力を低減するために画素部を非表示領域１１０と表示領域１２０とに区分して、表示領域１２０には日付、時間などのアイコンが表示され、非表示領域１１０は光を発光せず、黒く表現される。
【００２６】
有機電界発光表示装置は、各画素に流れる電流に対応して画像を表示するため、待機モードで表示領域１２０に位置する画素には電流が流れ、非表示領域１１０に位置する画素には電流が流れなくなる。即ち、待機モード状態で画素部１００に流れる電流の量が表示モード状態で画素部に流れる電流の量より少なく流れるようになる。従って、消費電力が減少するようになる。
【００２７】
しかしながら、画素部１００の全領域ではなく、一部である表示領域１２０でのみ画像が表現される場合にも走査駆動部３００は表示モードで動作する時と同一の動作を行う。  従って、より効率よく消費電力を低減するためには画素部１００に入力される走査信号などが表示モード状態と待機モード状態であるとき、異なって伝達される必要がある。
【００２８】
図４は、図２に示す有機電界発光表示装置に採用された画素を示す回路図である。図４を参照して説明すれば、画素１０１は、第１トランジスタＭ１、第２トランジスタＭ２、キャパシタＣｓｔ及び有機発光ダイオードＯＬＥＤを含み、データ線Ｄｍと走査線Ｓｎを通じてデータ信号と走査信号の伝達を受ける。
【００２９】
第１トランジスタＭ１のソースは第１電源ＥＬＶＤＤに連結され、ドレインは有機発光ダイオードＯＬＥＤのアノード電極に連結され、ゲートは第１ノードＮ１に連結される。  従って、第１ノードＮ１の電圧に対応してソースからドレイン方向へ流れる電流量が決定される。
【００３０】
第２トランジスタＭ２のソースはデータ線Ｄｍに連結され、ドレインは第１ノードＮ１に連結され、ゲートは走査線に連結される。従って、走査線Ｓｎを通じて伝達される走査信号に対応してデータ線Ｄｍを通じて伝達されるデータ信号が第１ノードＮ１に伝達され得るようにする。
キャパシタＣｓｔの第１電極は第１電源ＥＬＶＤＤに連結され、第２電極は第１ノードＮ１に連結されるようにする。従って、第１ノードＮ１の電圧が維持され得るようにする。
【００３１】
有機発光ダイオードＯＬＥＤは、アノード電極は第１トランジスタＭ１のドレインに連結され、カソード電極は第２電源ＥＬＶＳＳに連結され、アノード電極とカソード電極との間に発光層が形成される。そして、アノード電極からカソード電極方向へ流れる電流に対応して光を発光するようにする。従って、第１トランジスタＭ１のソースからドレインへ流れる電流量に対応して光を発光する。
【００３２】
図５は、図２に示す有機電界発光表示装置に入力される走査信号とＤＥＭＵＸ制御信号を示す波形図である。図５を参照して説明すれば、有機電界発光表示装置の画素部１００で表現される画像は、複数のフレームで形成される。
まず、第１フレーム区間では走査信号ＳｎとＤＥＭＵＸ制御信号が伝達される。従って、ＤＥＭＵＸ制御信号ＣＬＡ、ＣＬＢ、ＣＬＣによりデータ駆動部２００から出力されたデータ信号が順次それぞれのデータ線に分配される。そして、走査信号Ｓｎにより特定の画素１０１にデータ信号が伝達されるようになり、画素１０１はデータ信号に対応して光を発光するようになる。従って、画素部１００の表示領域１２０に画像が表現される。
【００３３】
そして、第２フレーム区間では走査信号ＳｎとＤＥＭＵＸ制御信号ＣＬＡ、ＣＬＢ、ＣＬＣが伝達されなくなる。従って、画素１０１には第２フレームに該当するデータ信号が伝達されなくなる。しかしながら、画素１０１には既に第１フレーム区間で伝達されたデータ信号がキャパシタＣｓｔに格納されているため、第２フレームでも第１フレームと同じ画像が表現されるようになる。
そして、第３フレーム区間では走査信号ＳｎとＤＥＭＵＸ制御信号ＣＬＡ、ＣＬＢ、ＣＬＣが伝達される。このとき、伝達されるデータ信号に対応して画素１０１で光を発光するようになる。
【００３４】
従って、第２フレーム区間で走査信号Ｓｎが伝達されないのは、走査駆動部３００が駆動しないためである。従って、走査駆動部３００の駆動停止により走査駆動部３００で発生する消費電力を低減できるようになる。また、待機モード状態で表現されるアイコンなどは頻繁に変化しない画像であるため、全てのフレームでデータ信号の伝達を受けなくても画像が歪んだり、誤って伝達されることは発生しなくなる。
【００３５】
以上説明したように、本発明の最も好ましい実施の形態について説明したが、本発明は、上記記載に限定されるものではなく、特許請求の範囲に記載され、又は明細書に開示された発明の要旨に基づき、当業者において様々な変形や変更が可能であることはもちろんであり、斯かる変形や変更が、本発明の範囲に含まれることは言うまでもない。
【符号の説明】
【００３６】
１００：画素部、
２００：データ駆動部、
３００：走査駆動部
４００：ＤＥＭＵＸ、
５００：制御部５００
１０１：画素、
【図１】
2011034049.tif 000003
【図２】
2011034049.tif 000004
【図３】
2011034049.tif 000005
【図４】
2011034049.tif 000006
【図５】
2011034049.tif 000007